(57)【要約】      （修正有）【課題】１個のカードリーダの不便さを改良し、ユーザが情報／電子装置を便利に活用しアクセスやコピー等の動作を行うことが出来るようすることを目的とする。【解決手段】情報／電子装置に使用される拡張型アクセス装置は周辺回路基板と、拡張装置セットと、第１コネクタと、分離シートと、上部カバー板とを備える。拡張型アクセス装置を締め付け固定する上部シェルと下部シェルが更に設けられ、拡張型アクセス装置をメモリカードに対し挿入／離脱可能なアクセス装置モジュールにすることが可能である。複数の拡張装置を備える前記拡張装置セットは前記周辺回路基板に固定され、電気的に接続されている。前記第１コネクタは前記周辺回路基板にろう付けされ、電気的に接続されている。前記分離シートは前記拡張装置セットの上面を覆っている。上部カバー板は逆Ｕ字形のカバー体であり、その上板上に複数のカセット部を有している。【選択図】図１
0003113291.tif 000002
【実用新案登録請求の範囲】
【請求項１】
情報／電子装置の主回路基板に使用される拡張型アクセス装置であって、
拡張装置が前記主回路基板の回路に電気的に接続されるように接続ピンが前記主回路基板にろう付けされた複数の拡張装置を含む拡張装置セットと、
その上板に複数のカセット部を有する上部カバー板であって、上板の両側に下方に延在する翼板を有し、この翼板上に複数の側カセット部を有する上部カバー板とを備え、前記拡張装置は各カセット部と各側カセット部間または隣接する２つのカセット部間に押し込み挿入されることを特徴とする拡張型アクセス装置。
【請求項２】
情報／電子装置の主回路基板に使用される拡張型アクセス装置において、前記拡張装置はカードリーダであることを特徴とする請求項１に記載の拡張型アクセス装置。
【請求項３】
情報／電子装置の主回路基板に使用される拡張型アクセス装置において、前記上部カバー板は金属板であり、更に絶縁材から成る分離シートが前記拡張装置セットと前記上部カバー板間に設けられたことを特徴とする請求項１に記載の拡張型アクセス装置。
【請求項４】
情報／電子装置の主回路基板に使用される拡張型アクセス装置において、前記上部カバー板は硬質プラスチックから成ることを特徴とする請求項１に記載の拡張型アクセス装置。
【請求項５】
情報／電子装置の主回路基板に使用される拡張型アクセス装置において、前記カセット部は前記上板と一体的に形成され、この上板に窪みが付けられた凹部となることを特徴とする請求項１に記載の拡張型アクセス装置。
【請求項６】
情報／電子装置の主回路基板に使用される拡張型アクセス装置において、前記側カセット部は前記翼板と一体的に形成され、これらの翼板に窪みが付けられた凹部となることを特徴とする請求項１に記載の拡張型アクセス装置。
【請求項７】
情報／電子装置に使用される拡張型アクセス装置であって、
周辺回路基板と、
拡張装置が前記周辺回路基板の回路に固定され、電気的に接続されるように接続ピンが前記周辺回路基板にろう付けされた複数の拡張装置を含む拡張装置セットと、
前記周辺回路基板にろう付けされ、前記周辺回路基板の回路に電気的に接続された第１コネクタと、
その上板に複数のカセット部を有する上部カバー板であって、この上部カバー板の両側に下方に延在する翼板を有し、この翼板上に複数の側カセット部を有する上部カバー板とを備え、前記拡張装置は各カセット部と各側カセット部間または隣接する２つのカセット部間に押し込み挿入されることを特徴とする拡張型アクセス装置。
【請求項８】
情報／電子装置に使用される拡張型アクセス装置において、前記周辺回路基板は印刷回路基板であることを特徴とする請求項７に記載の拡張型アクセス装置。
【請求項９】
情報／電子装置に使用される拡張型アクセス装置において、前記拡張装置はカードリーダであることを特徴とする請求項７に記載の拡張型アクセス装置。
【請求項１０】
情報／電子装置に使用される拡張型アクセス装置において、前記上部カバー板は金属板であり、更に絶縁材から成る分離シートが前記拡張装置セットと前記上部カバー板間に設けられたことを特徴とする請求項７に記載の拡張型アクセス装置。
【請求項１１】
情報／電子装置に使用される拡張型アクセス装置において、前記上部カバー板は硬質プラスチックから成ることを特徴とする請求項７に記載の拡張型アクセス装置。
【請求項１２】
情報／電子装置に使用される拡張型アクセス装置において、前記カセット部は前記上板と一体的に形成され、この上板に窪みが付けられた凹部となることを特徴とする請求項７に記載の拡張型アクセス装置。
【請求項１３】
情報／電子装置に使用される拡張型アクセス装置において、前記側カセット部は前記翼板と一体的に形成され、これらの翼板に窪みが付けられた凹部となることを特徴とする請求項７に記載の拡張型アクセス装置。
【請求項１４】
情報／電子装置に使用される拡張型アクセス装置において、前記周辺回路基板は複数の固定穴を有することを特徴とする請求項７に記載の拡張型アクセス装置。
【請求項１５】
情報／電子装置に使用される拡張型アクセス装置において、前記第１コネクタは一列のコネクタであることを特徴とする請求項７に記載の拡張型アクセス装置。
【請求項１６】
情報／電子装置に使用される拡張型アクセス装置において、前記第１コネクタはプラグイン型コネクタであることを特徴とする請求項７に記載の拡張型アクセス装置。
【請求項１７】
情報／電子装置に使用される拡張型アクセス装置において、上部シェルと下部シェルを更に備えることを特徴とする請求項７に記載の拡張型アクセス装置。
【請求項１８】
情報／電子装置に使用される拡張型アクセス装置において、前記上部シェルは平板とこの平板の縁部から下方へ延在する複数の垂直壁部を備えることを特徴とする請求項１７に記載の拡張型アクセス装置。
【請求項１９】
情報／電子装置に使用される拡張型アクセス装置において、前記下部シェルは平板とこの平板の縁部から上方へ延在する複数の垂直壁部を備え、当該垂直壁部により前記第１コネクタと各拡張装置のカード挿入位置に開口部が設けられることを特徴とする請求項１７に記載の拡張型アクセス装置。
【考案の詳細な説明】
【技術分野】
【０００１】
本発明は、拡張型アクセス装置に関し、具体的には多種のメモリカードに同時にプラグイン可能な情報／電子装置に使用される拡張型アクセス装置に関する。
【背景技術】
【０００２】
科学技術の発展及びコンピュータの広範囲に及ぶ応用に伴い、デジタル電子装置を利用して、情報取得、編集、転送、バックアップ等の仕事を行うファイルや図面や画像等多種の情報がある。この一連の動作は、しばしば、更に元のデータを分散し、共有する必要がある有用な情報に変換するために行われる。従って、デジタル情報を分散、共有することは現代の文明社会においては重要で不可欠なものになっている。
【０００３】
情報の分配、共有は頻繁に行われ重要であるため、我々人間は関連するデジタルデータ記憶用の媒体（ｃａｒｒｉｅｒ）の研究／開発を繰り返し行い、製品の軽量化、薄膜化、短小化に絞って、継続的に研究、開発している。メモリカードは現在市場に出ているデータ記憶媒体の応用、利用製品の内最も普及した製品の一つである。その結果、量産の経済的尺度においては、メモリカードの価格はユーザにとってより経済的で重大になりつつある。更に、カードリーダは現在市場で普及しており、多数のデジタルカメラ、携帯電話、個人情報機器（ＰＤＡ）は全て拡張メモリカード組込み機構（ｓｅｔ−ｕｐ）を有している。その結果、メモリカードを使用することは、個人や会社または組織に係わらずほとんど全ての人にとって、日常生活に不可欠なものになっている。
【０００４】
科学技術の発展に伴い、デジタルカメラ、携帯電話、個人情報機器（ＰＤＡ）等の各種の個人向け携帯型デジタル製品はより多様化し、それに応じて携帯型の電子デジタル製品の要望が高まってきている。しかし、記憶媒体はまだ統一されておらず、市場で人気のあるＣＦ（Ｃｏｍｐａｃｔ  Ｆｌａｓｈ  Ｃａｒｄ：コンパクトフラッシュ（登録商標）カード）以外にも各種のメモリカードがある。これらのメモリカードにはＳＤカード（Ｓｅｃｕｒｅ  Ｄｉｇｉｔａｌ（登録商標）  Ｃａｒｄ）、ＭＭＣカード（Ｍｕｌｔｉ−Ｍｅｄｉａ  Ｃａｒｄ（登録商標））、ＳＭカード（Ｓｍａｒｔ  Ｍｅｄｉａ（登録商標）  Ｃａｒｄ）、ＭＳカード（Ｍｅｍｏｒｙ  Ｓｔｉｃｋ（登録商標）  Ｃａｒｄ）、ＣＦＶカード（Ｃｏｍｐａｃｔ  Ｆｌａｓｈ  Ｖａｌｕｅ  Ｃａｒｄ（登録商標））が含まれる。従って、この時代のニーズに応じて、ユーザにとって各種仕様を有する多種のカードの読み出しが可能なカードリーダが出現した。この種のカードリーダは「万能リーダ」と言えるだろう。
【０００５】
従来技術の情報／電子装置はカードリーダ組込み機構だけしか持っていない。この種の各カードリーダは多種カードを読むことが可能だがプラグイン用及び一度にカード読出しされるスロットは１個だけである。使用中に関連データを異なるカードに記憶する状況になると、同じ情報／電子装置に組込まれて編集されるか、１つのカードから別のカードへコピーする必要があり、カードリーダ１個では非常に不便なのは明らかである。メモリカードが頻繁に使用される環境では、多種のカードに対するアクセス動作を不便なく行う方法は現実に非常に重要な課題である。
【考案の開示】
【考案が解決しようとする課題】
【０００６】
本発明は、上記従来技術の問題点に鑑みてなされたものであり、従来技術の１個のカードリーダの不便さを改良し、ユーザが情報／電子装置を便利に活用しアクセスやコピー等の動作を行うことが出来るようすることを目的とする。
【課題を解決するための手段】
【０００７】
上記目的を達成するために、本発明は、情報／電子装置に使用される拡張型アクセス装置であって、周辺回路基板と、拡張装置セットと、第１コネクタと、分離シートと、上部カバー板とを備える拡張型アクセス装置を提供する。拡張型アクセス装置を締め付け固定する上部シェルと下部シェルが更に設けられ、拡張型アクセス装置をメモリカードに対し挿入／離脱可能なアクセス装置モジュールにすることが可能である。複数の拡張装置を備える前記拡張装置セットは前記周辺回路基板に固定され、電気的に接続されている。前記第１コネクタは前記周辺回路基板にろう付けされ、電気的に接続されている。前記分離シートは前記拡張装置セットの上面を覆っている。上部カバー板は逆Ｕ字形のカバー体であり、その上板上に複数のカセット部を有している。本発明を実施することにより、多種のメモリカードを同時に使用でき、メモリカードを更に使いやすくするという効果がある。
【０００８】
本願の第１考案は、情報／電子装置の主回路基板に使用される拡張型アクセス装置であって、拡張装置が前記主回路基板の回路に電気的に接続されるように接続ピンが前記主回路基板にろう付けされた複数の拡張装置を含む拡張装置セットと、その上板に複数のカセット部を有する上部カバー板であって、上板の両側に下方に延在する翼板を有し、この翼板上に複数の側カセット部を有する上部カバー板とを備え、前記拡張装置は各カセット部と各側カセット部間または隣接する２つのカセット部間に押し込み挿入されることを特徴とする拡張型アクセス装置を提供する。
【０００９】
本願の第２考案は、情報／電子装置の主回路基板に使用される拡張型アクセス装置において、前記拡張装置はカードリーダであることを特徴とする本願の第１考案に記載の拡張型アクセス装置を提供する。
【００１０】
本願の第３考案は、情報／電子装置の主回路基板に使用される拡張型アクセス装置において、前記上部カバー板は金属板であり、更に絶縁材から成る分離シートが前記拡張装置セットと前記上部カバー板間に設けられたことを特徴とする本願の第１考案に記載の拡張型アクセス装置を提供する。
【００１１】
本願の第４考案は、情報／電子装置の主回路基板に使用される拡張型アクセス装置において、前記上部カバー板は硬質プラスチックから成ることを特徴とする本願の第１考案に記載の拡張型アクセス装置を提供する。
【００１２】
本願の第５考案は、情報／電子装置の主回路基板に使用される拡張型アクセス装置において、前記カセット部は前記上板と一体的に形成され、この上板に窪みが付けられた凹部となることを特徴とする本願の第１考案に記載の拡張型アクセス装置を提供する。
【００１３】
本願の第６考案は、情報／電子装置の主回路基板に使用される拡張型アクセス装置において、前記側カセット部は前記翼板と一体的に形成され、これらの翼板に窪みが付けられた凹部となることを特徴とする本願の第１考案に記載の拡張型アクセス装置を提供する。
【００１４】
本願の第７考案は、情報／電子装置に使用される拡張型アクセス装置であって、周辺回路基板と、拡張装置が前記周辺回路基板の回路に固定され、電気的に接続されるように接続ピンが前記周辺回路基板にろう付けされた複数の拡張装置を含む拡張装置セットと、前記周辺回路基板にろう付けされ、前記周辺回路基板の回路に電気的に接続された第１コネクタと、その上板に複数のカセット部を有する上部カバー板であって、この上部カバー板の両側に下方に延在する翼板を有し、この翼板上に複数の側カセット部を有する上部カバー板とを備え、前記拡張装置は各カセット部と各側カセット部間または隣接する２つのカセット部間に押し込み挿入されることを特徴とする拡張型アクセス装置を提供する。
【００１５】
本願の第８考案は、情報／電子装置に使用される拡張型アクセス装置において、前記周辺回路基板は印刷回路基板であることを特徴とする本願の第７考案に記載の拡張型アクセス装置を提供する。
【００１６】
本願の第９考案は、情報／電子装置に使用される拡張型アクセス装置において、前記拡張装置はカードリーダであることを特徴とする本願の第７考案に記載の拡張型アクセス装置を提供する。
【００１７】
本願の第１０考案は、情報／電子装置に使用される拡張型アクセス装置において、前記上部カバー板は金属板であり、更に絶縁材から成る分離シートが前記拡張装置セットと前記上部カバー板間に設けられたことを特徴とする本願の第７考案に記載の拡張型アクセス装置を提供する。
【００１８】
本願の第１１考案は、情報／電子装置に使用される拡張型アクセス装置において、前記上部カバー板は硬質プラスチックから成ることを特徴とする本願の第７考案に記載の拡張型アクセス装置を提供する。
【００１９】
本願の第１２考案は、情報／電子装置に使用される拡張型アクセス装置において、前記カセット部は前記上板と一体的に形成され、この上板に窪みが付けられた凹部となることを特徴とする本願の第７考案に記載の拡張型アクセス装置を提供する。
【００２０】
本願の第１３考案は、情報／電子装置に使用される拡張型アクセス装置において、前記側カセット部は前記翼板と一体的に形成され、これらの翼板に窪みが付けられた凹部となることを特徴とする本願の第７考案に記載の拡張型アクセス装置を提供する。
【００２１】
本願の第１４考案は、情報／電子装置に使用される拡張型アクセス装置において、前記周辺回路基板は複数の固定穴を有することを特徴とする本願の第７考案に記載の拡張型アクセス装置を提供する。
【００２２】
本願の第１５考案は、情報／電子装置に使用される拡張型アクセス装置において、前記第１コネクタは一列のコネクタであることを特徴とする本願の第７考案に記載の拡張型アクセス装置を提供する。
【００２３】
本願の第１６考案は、情報／電子装置に使用される拡張型アクセス装置において、前記第１コネクタはプラグイン型コネクタであることを特徴とする本願の第７考案に記載の拡張型アクセス装置を提供する。
【００２４】
本願の第１７考案は、情報／電子装置に使用される拡張型アクセス装置において、上部シェルと下部シェルを更に備えることを特徴とする本願の第７考案に記載の拡張型アクセス装置を提供する。
【００２５】
本願の第１８考案は、情報／電子装置に使用される拡張型アクセス装置において、前記上部シェルは平板とこの平板の縁部から下方へ延在する複数の垂直壁部を備えることを特徴とする本願の第１７考案に記載の拡張型アクセス装置を提供する。
【００２６】
本願の第１９考案は、情報／電子装置に使用される拡張型アクセス装置において、前記下部シェルは平板とこの平板の縁部から上方へ延在する複数の垂直壁部を備え、当該垂直壁部により前記第１コネクタと各拡張装置のカード挿入位置に開口部が設けられることを特徴とする本願の第１７考案に記載の拡張型アクセス装置を提供する。
【考案の効果】
【００２７】
本発明は多種のメモリカードを読むことが可能で、ある機構を配置することにより情報／電子装置に組込み配置可能な複数のカードリーダを統合する。また、本発明の装置は一組のシェル体を使うことにより携帯型アクセス装置モジュールのマルチ・ユニットになる。
【００２８】
本発明の実施によって、少なくとも以下の効果が達成される。
【００２９】
本発明の実施によって、多種のメモリカードを同時に使用でき、メモリカードを更に使いやすくなる。
【００３０】
本発明の実施によって、多種のメモリカード間のコピーが更に手軽に行える。
【００３１】
本発明の実施によって、多種のメモリカードが頻繁に装脱着されることが避けられ、より効率的に操作することが出来る。
【考案を実施するための最良の形態】
【００３２】
本発明の上記目的及びその他の目的を達成する方法は添付の図面を参照する以下の説明から明白となろう。
【実施例１】
【００３３】
図１は本発明の第１の実施形態の応用状態を示す等角投影の分解図である。図１に示すように、情報／電子装置の主回路基板１１に適用される拡張型アクセス装置１０は複数の拡張装置２１を有する拡張装置セット２０と、分離シート３０と、上部カバー板４０とを備える。
【００３４】
主回路基板１１は従来技術の印刷回路基板（ＰＣＢ）構造を有する。情報／電子装置の主回路はこの主回路基板１１上に配置されている。この主回路基板１１上には各拡張装置２１が直接ろう付け固定出来、各拡張装置２１は前記主回路と電気的に接続される。
【００３５】
拡張装置２１は多種のメモリカードを読めるカードリーダ、例えば５種対応（ｆｉｖｅ−ｉｎ−ｏｎｅ）多メモリカードリーダや、６種対応（ｓｉｘ−ｉｎ−ｏｎｅ）多メモリカードリーダ、７種対応（ｓｅｖｅｎ−ｉｎ−ｏｎｅ）多メモリカードリーダ等、である。この拡張装置２１の接続ピンは情報／電子装置の主回路基板１１に直接ろう付けされており、これにより拡張装置２１は主回路基板１１の回路に固定され、電気的に接続される。
【００３６】
分離シート３０は絶縁材で形成された薄いシートであり、拡張装置セット２０の上面を覆っている。これにより各拡張装置２１は互いに干渉せずに絶縁される。全ての拡張装置２１は良好な導体である金属製の接続ピンを備え、これらの現行モデル用金属製接続ピンは装置の外部に露出している。従って、分離シート３０はこれらの拡張装置２１が金属性上部カバー板４０と組み合わされる場合にこの拡張装置２１間を相互に分離するように機能することが出来る。これらの分離シート３０は拡張装置２１間を分離する機能を有するが、上部カバー板４０が非伝導性の物質で形成される場合には分離シート３０は省略出来る。これ以外に、選択された拡張装置２１の金属製の接続ピンが装置外に露出していない場合や、拡張装置２１間の導電性を考慮する必要がない場合にも分離シート３０を省略出来る。
【００３７】
上部カバー板４０は金属板または硬質プラスチック製の逆Ｕ字形構造を持ち、その上板上に配置された複数列のカセット部４１用の組込み機構を有している。カセット部４１はこの上板と一体形成され上板に窪みが付けられた凹部となっている。更に、上板から延在する翼板が左右両側に設けられ、これら翼板上にはカセット部４１と同種で同様の機能を有する複数の側カセット部４２が配置されている。拡張装置２１は各カセット部４１と各側カセット部４２間または隣接する２つのカセット部４１間に押し込み挿入される。また、それら（カセット部）は上部カバー板４０と拡張装置２１と共にネジによって固定される。その結果、上部カバー板４０は拡張装置２１を完全に保護することが出来る。
【実施例２】
【００３８】
図２は本発明の第２の実施形態の応用状態を示す等角投影の分解図である。図２に示すように、情報／電子装置に適用される拡張型アクセス装置１０は周辺回路基板１２と、複数の拡張装置２１を有する拡張装置セット２０と、第１コネクタ５１と、分離シート３０と、上部カバー板４０とを備える。
【００３９】
周辺回路基板１２は従来技術のＰＣＢ構造を有し、この周辺回路基板１２上には各拡張装置２１が直接ろう付け固定出来、各拡張装置２１は第１コネクタ５１と電気的に接続される。更に、周辺回路基板１２は、拡張型アクセス装置１０の固定を容易にするための複数の固定穴１２１を有している。
【００４０】
拡張装置２１は多種のメモリカードを読めるカードリーダ、例えば５種対応（ｆｉｖｅ−ｉｎ−ｏｎｅ）多メモリカードリーダや、６種対応（ｓｉｘ−ｉｎ−ｏｎｅ）多メモリカードリーダ、７種対応（ｓｅｖｅｎ−ｉｎ−ｏｎｅ）多メモリカードリーダ等、である。この拡張装置２１の接続ピンは周辺回路基板１２に直接ろう付けされており、これにより拡張装置２１は周辺回路基板１２の回路に固定され、電気的に接続される。
【００４１】
第１コネクタ５１は周辺回路基板１２に直接ろう付けされて、周辺回路基板１２の回路に電気的に接続される。更に、列型コネクタまたはプラグイン型コネクタである第１コネクタ５１の接続端は、主回路基板１１上に配置された第２コネクタ５２に電気的に接続される。更に、第１コネクタ５１と第２コネクタ５２間の接続を利用して本実施形態の拡張型アクセス装置１０は主回路基板１１に電気的に接続可能である。
【００４２】
分離シート３０は絶縁材で形成された薄いシートであり、拡張装置セット２０の上面を覆っている。これにより各拡張装置２１は互いに干渉せずに絶縁される。全ての拡張装置２１は良好な導体である金属製の接続ピンを備え、これらの現行モデル用金属製接続ピンは装置の外部に露出している。従って、分離シート３０はこれらの拡張装置２１が金属性上部カバー板４０と組み合わされが場合にこの拡張装置２１間を分離するように機能することが出来る。これらの分離シート３０は拡張装置２１間を分離する機能を持っているが、上部カバー板４０が非伝導性の物質で形成される場合には分離シート３０は省略出来る。これ以外に、選択された拡張装置２１の金属製の接続ピンが装置外に露出していない場合や、拡張装置２１間の導電性を考慮する必要がない場合にも分離シート３０を省略出来る。
【００４３】
上部カバー板４０は金属板または硬質プラスチック製の逆Ｕ字形構造を持ち、その上板上に複数列のカセット部４１用の組込み機構を有している。カセット部４１はこの上板と一体形成され上板に窪みが付けられた凹部となっている。更に、上板から延在する翼板が左右両側に設けられ、これら翼板上にはカセット部４１と同種で同様の機能を有する複数の側カセット部４２が配置されている。拡張装置２１は各カセット部４１と各側カセット部４２間または隣接する２つのカセット部４１間に押し込み挿入される。また、上部カバー板４０と拡張装置２１はネジによって固定される。その結果、上部カバー板４０は拡張装置２１を完全に保護することが出来る。
【実施例３】
【００４４】
図３は本発明の第３実施例の応用状態を示す等角投影の分解図である。図３に示すように、情報／電子装置に適用される拡張型アクセス装置１０は周辺回路基板１２と、複数の拡張装置２１を有する拡張装置セット２０と、第１コネクタ５１と、分離シート３０と、上部カバー板４０と、上部シェル６１と下部シェル６２とを備える。
【００４５】
周辺回路基板１２は従来技術のＰＣＢ構造を有し、この周辺回路基板１２上には各拡張装置２１が直接ろう付け固定出来、各拡張装置２１は第１コネクタ５１と電気的に接続される。更に、周辺回路基板１２は、拡張型アクセス装置１０の固定を容易にするための複数の固定穴１２１を有している。
【００４６】
拡張装置２１は多種のメモリカードを読めるカードリーダ、例えば５種対応（ｆｉｖｅ−ｉｎ−ｏｎｅ）多メモリカードリーダや、６種対応（ｓｉｘ−ｉｎ−ｏｎｅ）多メモリカードリーダ、７種対応（ｓｅｖｅｎ−ｉｎ−ｏｎｅ）多メモリカードリーダ等、である。この拡張装置２１の接続ピンは周辺回路基板１２に直接ろう付けされており、これにより拡張装置２１は周辺回路基板１２の回路に固定され、電気的に接続される。
【００４７】
第１コネクタ５１は周辺回路基板１２に直接ろう付けされて、周辺回路基板１２の回路に電気的に接続される。更に、プラグイン型コネクタである第１コネクタ５１の接続端は、主回路基板１１上に配置された第２コネクタ５２に電気的に接続される。更に、第１コネクタ５１と第２コネクタ５２間の接続を利用して本実施形態の拡張型アクセス装置１０は主回路基板１１に電気的に接続可能である。
【００４８】
分離シート３０は絶縁材で形成された薄いシートであり、拡張装置セット２０の上面を覆っている。これにより各拡張装置２１は互いに干渉せずに絶縁される。全ての拡張装置２１は良好な導体である金属製の接続ピンを備え、これらの現行モデル用金属製接続ピンは装置の外部に露出している。従って、分離シート３０はこれらの拡張装置２１が金属性上部カバー板４０と組み合わされた場合にこの拡張装置２１間を分離するように機能することが出来る。これらの分離シート３０は拡張装置２１間を分離する機能を持っているが、上部カバー板４０が非伝導性の物質で形成される場合には分離シート３０は省略出来る。これ以外に、選択された拡張装置２１の金属製の接続ピンが装置外に露出していない場合や、拡張装置２１間の導電性を考慮する必要がない場合にも分離シート３０を省略出来る。
【００４９】
上部カバー板４０は金属板または硬質プラスチック製の逆Ｕ字形構造を持ち、その上板上に複数列のカセット部４１用の組込み機構を有している。カセット部４１はこの上板と一体形成され上板に窪みが付けられた凹部となっている。更に、上板から延在する翼板が左右両側に設けられ、これら翼板上にはカセット部４１と同種で同様の機能を有する複数の側カセット部４２が配置されている。拡張装置２１は各カセット部４１と各側カセット部４２間または隣接する２つのカセット部４１間に正確に押し込み挿入される。また、それら（カセット部）は上部カバー板４０と拡張装置２１と共にネジによって固定される。その結果、上部カバー板４０は拡張装置２１を完全に保護することが出来る。
【００５０】
上部シェル６１は平板とこの平板の縁部から下方へ延在する複数の垂直壁部を含み、カバー構造体を形成している。
【００５１】
下部シェル６２は平板とこの平板の縁部から上方へ延在する複数の垂直壁部を備えている。これらの垂直壁部により第１コネクタ５１と各拡張装置２１のカード挿入位置に開口部が設けられる。組立作業によって、まず周辺回路基板１２と、拡張装置セット２０と、コネクタと、分離シート３０と上部カバー板４０を組み合わせる。次に、上部シェル６１と下部シェル６２を包装と保護を用いて、拡張型アクセス装置１０のシェル体が形成され、互換性のある情報／電子装置に適用できる携帯型モジュール構造体となる。
【００５２】
図４は各上記実施形態の上部カバー板４０のＡ−Ａ線の断面図である。同図には更にカセット部４１と側カセット部４２の具体的な構造と両カセット部と上部カバー板４０との相互関係が示されている。
【００５３】
本発明の拡張装置２１は、カードの対応開口部が上に設けられた情報／電子装置のシェル体の側面に配置され、カードの挿脱を行えるようになっている。または、モジュール開口部を有する情報／電子装置により、本発明の拡張装置２１は組合わせや分離の調整が可能である。
【００５４】
なお、本発明の範囲と精神を逸脱せずに、様々な変形、変更が可能であることは当業者には自明である。上記説明からも分かるように、全ての変形と変更は特許請求の範囲とその同等物範囲内である。
【図面の簡単な説明】
【００５５】
【図１】本発明の第１実施例の応用状態を示す等角投影の分解図。
【図２】本発明の第２実施例の応用状態を示す等角投影の分解図。
【図３】本発明の第３実施例の応用状態を示す等角投影の分解図。
【図４】本発明の各上記実施例の上部カバー板Ａ−Ａ線の断面図。
【符号の説明】
【００５６】
１０  拡張型アクセス装置
１１  主回路基板
１２  周辺回路基板
２０  拡張装置セット
２１  拡張装置
３０  分離シート
４０  上部カバー板
４１  カセット部
４２  側カセット部
５１  第１コネクタ
５２  第２コネクタ
６１  上部シェル
６２  下部シェル
１２１  固定穴
【図１】
0003113291.tif 000003
【図２】
0003113291.tif 000004
【図３】
0003113291.tif 000005
【図４】
0003113291.tif 000006